(57)【要約】【課題】  非接触式の個人認証技術をリモコン装置に搭載することによって、リモコン装置の新たな利用形態の可能性を提案する。【解決手段】  制御情報を入力するキー入力部１２と、入力された制御情報を電子機器に送信する送信部１３とを備えたリモコン装置であって、操作者自身を撮影するカメラ部１４と、カメラ部１４により撮影された操作者の画像から顔画像を検出し、その顔画像から操作者を特定する個人認証部１５とを備えており、制御部１１は、個人認証部１５により認証された操作者の個人情報を、制御情報とともに電子機器に送信する。【選択図】  図２
2006352355.tif 000002
【特許請求の範囲】
【請求項１】
制御情報を入力する入力手段と、入力された制御情報を電子機器に送信する送信手段とを備えたリモコン装置を有する電子機器であって、
前記リモコン装置は、操作者を撮影する撮影手段と、前記撮影手段により撮影された操作者の画像から顔画像を検出する顔画像検出手段と、前記顔画像検出手段により検出された顔画像から操作者を特定する個人認証手段とをさらに備えており、前記個人認証手段により認証された操作者の個人情報を前記制御情報とともに前記電子機器に送信する一方、
前記電子機器は、受信した制御情報と個人情報とに基づき、前記制御情報に基づく制御動作を、前記個人情報に対応して予め設定された制御内容に従って行うことを特徴とするリモコン装置を有する電子機器。
【請求項２】
被制御機器の制御情報を入力する入力手段と、入力された制御情報を被制御機器に送信する送信手段とを備えた制御装置であって、
操作者を撮影する撮影手段と、
前記撮影手段により撮影された操作者の画像から顔画像を検出する顔画像検出手段と、
前記顔画像検出手段により検出された顔画像から操作者を特定する個人認証手段とを備えており、
前記個人認証手段により認証された操作者の個人情報を前記制御情報とともに前記被制御機器に送信することを特徴とする制御装置。
【請求項３】
撮影画像を表示する表示手段をさらに備えており、
前記撮影手段によって操作者自身の顔を撮影するときには、前記表示手段に撮影画像が表示されることを特徴とする請求項２に記載の制御装置。
【請求項４】
前記表示手段は、前記撮影手段による撮影時の撮影画像の表示と、前記入力手段より入力された制御情報に関する情報の表示とを兼用することを特徴とする請求項３に記載の制御装置。
【請求項５】
前記制御装置が前記被制御機器に着脱可能に設けられており、前記制御装置が前記被制御機器に装着されている場合には、前記撮影手段と前記顔画像検出手段と前記個人認証手段とを動作させることによって操作対象者の存否を確認することを特徴とする請求項２に記載の制御装置。
【請求項６】
前記入力手段が削除されていることを特徴とする請求項５に記載の制御装置。
【請求項７】
前記請求項２、請求項５または請求項６に記載の制御装置によって制御される電子機器であって、受信した制御情報と個人情報とに基づき、前記制御情報に基づく制御動作を、前記個人情報に対応して予め設定された制御内容に従って行うことを特徴とする電子機器。
【発明の詳細な説明】
【技術分野】
【０００１】
本発明は、制御情報を入力する入力手段と、入力された制御情報を送信する送信手段とを備えた制御装置、及びこの制御装置を有する電子機器に関する。
【背景技術】
【０００２】
近時、一般家庭には、テレビジョン受像機、空調機、ビデオテープレコーダやＤＶＤレコーダ等のＡＶ機器等、多くの電子機器が存在し、これら電子機器の多くは、その便利さからリモコン装置による操作となっている。
【０００３】
この場合、例えばＡＶ機器を一個人のみで使用する場合には、一度ＡＶ機器の状態を設定すると、その後、何度も設定変更することはあまりない。しかし、複数人で使用する場合には、例えばテレビジョン受像機では、音量や明るさ、色合い等の好みが人によって異なるため、再設定の必要が生じる場合もある。また、空調機では、人によって暑さや寒さの感じ方が違うため、使用者が異なれば、当然に設定温度や風量なども異なる設定となる。
【０００４】
しかし、従来のリモコン装置では、複数人で使用する場合、使用者ごとに異なる設定状態に変更したり、一旦変更された状態を元に戻したりするような操作を簡単に行うことはできなかった。つまり、使用者がその都度、リモコン装置を操作して、自分の好みに設定する必要があった。
【０００５】
そこで、このような問題を解決するため、リモコン装置に指紋認証機能を搭載し、この指紋認証によって操作者の個人認証を行い、認証結果を利用してその個人に合った制御情報を被制御機器に送信するようにした個人認証付リモコン装置が提案されている（例えば、特許文献１参照）。この個人認証付リモコン装置では、指紋による個人認証の結果、その個人に対応して予め内部に設定されている受信チャンネルの情報を自動的にテレビジョン受像機に送信することで、受信チャンネルを操作者の好みのチャンネルに自動的に切り替えることができるようになっている。
【特許文献１】特開２００１−４５５８０号公報
【発明の開示】
【発明が解決しようとする課題】
【０００６】
上記従来のリモコン装置（特許文献１のリモコン装置）によれば、指紋認証によって操作者の個人認証を行い、認証結果を利用してその個人に合った制御情報を被制御機器に送信するように構成されているので、操作者の操作負担を軽減することができる。
【０００７】
しかし、上記従来のリモコン装置では、リモコン装置側に個人情報ごとに対応した被制御機器の制御情報を全て格納しておく必要がある。つまり、このリモコン装置を例えばマルチリモコン装置として使用する場合には、制御対象とする全ての被制御機器の制御情報を個人情報ごとに対応させて記憶しておく必要があり、リモコン装置の負担が大きくなってしまうといった問題があった。
【０００８】
また、従来のリモコン装置では、個人認証に指紋認証を利用している。つまり接触式の個人認証を利用している。そのため、例えばリモコン装置が被制御機器のそばにある場合や、被制御機器に取り付けられている場合に、そのリモコン装置を使用するためには、わざわざ被制御機器のそばまで行ってリモコン装置を直接手に持ち、指紋認証してから使用する必要がある。この場合、個人認証が非接触式であれば、わざわざ被制御機器のそばまで行かなくても、離れた所からリモコン装置に個人認証を行わせることも可能である。つまり、リモコン装置が例えば被制御機器に取り付けられたままの状態で、個人認証を行い、その認証結果に基づいて被制御機器に直接制御情報を送信することも可能である。この場合には、操作者から見れば、実質的にリモコン装置無しで被制御機器をリモートコントロールしていることになる。
【０００９】
本発明は上記問題点を解決するとともに、非接触式の個人認証技術をリモコン装置に搭載することによって、リモコン装置の新たな利用形態の可能性を追求した制御装置（リモコン装置）及びこの制御装置を有する電子機器を提供することにある。
【課題を解決するための手段】
【００１０】
本発明の制御装置は、被制御機器の制御情報を入力する入力手段と、入力された制御情報を被制御機器に送信する送信手段とを備えた制御装置であって、操作者を撮影する撮影手段と、前記撮影手段により撮影された操作者の画像から顔画像を検出する顔画像検出手段と、前記顔画像検出手段により検出された顔画像から操作者を特定する個人認証手段とを備えており、前記個人認証手段により認証された操作者の個人情報を前記制御情報とともに前記被制御機器に送信することを特徴とする。
【００１１】
また、制御装置は、撮影画像を表示する表示手段をさらに備えており、前記撮影手段によって操作者自身の顔を撮影するときには、前記表示手段に撮影画像が表示されるように構成してもよい。これにより、操作者は、前記表示手段に表示される撮影画像を見ながら前記撮影手段によって自分の顔を撮影することができる。つまり、次段の顔画像検出手段が検出し易い大きさの顔画像を撮影することができるので、顔画像検出手段による検出ミスや、個人認証手段による認証ミス等を少なくすることができる。また、認証結果を表示手段に表示して、操作者にその認証結果に間違いが無いかを確認することも可能である。例えば、認証の結果（例えば、「操作者は「お父さん」でよろしいでしょうか？」といったメッセージ）を表示手段に表示して、操作者に確認させることで、認証ミスを確実に防止することが可能となる。
【００１２】
この場合、前記表示手段は、前記撮影手段による撮影時の撮影画像の表示と、前記入力手段より入力された制御情報に関する情報の表示とを兼用するように構成してもよい。
【００１３】
このように、本発明の制御装置によれば、認証手段により認証された操作者の個人情報を、制御情報とともに被制御機器に送信している。例えば、操作者が「お父さん」である場合には、「お父さん」を示す個人情報を、制御情報である例えば電源オン信号とともに、被制御機器に送信する。
【００１４】
ここで、被制御機器が例えば空調機である場合、被制御機器は、受信した電源オン信号に基づいて空調機による温度制御を開始する。また、空調機は、このとき受信した個人情報から、その操作者が「お父さん」であることを認識できるので、この個人情報に対応した制御内容が予め内部に設定されている場合には、その設定されている制御内容に従って温度制御を行うことができる。例えば、設定されている制御内容が、お父さんの好みである冷房温度「２３度」、風量「弱」である場合には、その設定温度及び風量にて自動的に空調運転を開始することになる。
【００１５】
また、本発明の制御装置は、被制御機器に着脱可能に設けられていてもよい。そして、制御装置が被制御機器に装着されている場合には、前記撮影手段と前記顔画像検出手段と前記個人認証手段とを動作させることによって操作対象者の存否を確認するように構成し、操作対象者を確認した場合には、その個人情報を被制御機器に直接送信する。
【００１６】
このように、制御装置が被制御機器に装着されている場合には、撮影手段と顔画像検出手段と個人認証手段とを常に動作させておくことによって、操作者側から見れば、実質的に制御装置無しで被制御機器をリモートコントロールしていることになる。すなわち、従来は必須であった操作者が手に取って操作するメカとしてのリモコン装置を実質的に無くし、操作者の自動検出による自動リモートコントロールを実現することが可能となる。
【発明の効果】
【００１７】
本発明の制御装置によれば、個人認証手段により認証された操作者の個人情報を前記制御情報とともに被制御機器に送信することにより、被制御機器側において、特定個人に対応した個別の制御が可能となる。また、制御装置側では、個人認証を行った結果の個人情報のみを被制御機器に送信するため、従来のリモコン装置のように被制御機器を制御するための制御情報を個人ごとに格納しておく必要がないため、制御装置側の負担も軽減することができる。
【００１８】
また、本発明の電子機器によれば、制御装置が装着されている場合には、撮影手段と顔画像検出手段と個人認証手段とを常に動作させておくことによって、操作者側から見れば、実質的に制御装置無しで電子機器の制御動作を行わせることができる。すなわち、従来は必須であった操作者が手に取って操作するメカとしてのリモコン装置を、電子機器側に一体的に取り付けることによって実質的に無くした状態で、操作者の自動検出による自動リモートコントロールを実現することができる。これにより、制御装置であるリモコン装置と電子機器の新たな使用形態を実現することができる。
【発明を実施するための最良の形態】
【００１９】
以下、本発明の実施の形態について、図面を参照して説明する。
【００２０】
＜実施形態１＞
【００２１】
図１は、本発明の実施形態１に係る制御装置であるリモコン装置１Ａの外観図である。
【００２２】
本実施形態１のリモコン装置１Ａは、装置本体２の上部に液晶パネル等からなる表示部１６が設けられており、装置本体２の下部に各種機能ボタンが配置されている。機能ボタンとしては、例えば電源ボタン１２１やメニューボタン１２２などがあり、リモコン装置１Ａがテレビジョン受像機用のリモコン装置である場合には、０〜１２の数字ボタン１２３なども含まれている。
【００２３】
また、表示部１６の下側近傍にはカメラ部（ＣＣＤカメラ部）１４が配置されており、このカメラ部１４の横に、カメラボタン１２５が配置されている。このカメラ部１４は、操作者が自分を撮影するためのカメラである。
【００２４】
図２は、本実施形態１のリモコン装置１Ａの全体構成を示す機能ブロック図である。
【００２５】
本実施形態１のリモコン装置１Ａは、リモコン装置全体を制御する制御部１１に、被制御機器の制御情報を入力するキー入力部１２と、入力された制御情報を被制御機器に送信する送信部１３とが接続されている。制御部１１は、図示は省略しているが、ＣＰＵ、ＲＯＭ、ＲＡＭ等により構成されている。
【００２６】
また、制御部１１には、カメラ部１４が接続されており、このカメラ部１４の出力は、撮影画像から顔画像を検出し、この検出された顔画像に基づいて個人を認証する個人認証部１５に接続され、この個人認証部１５での認証結果が制御部１１に入力されるようになっている。
【００２７】
また、制御部１１には、カメラ部１４による撮影画像を表示するとともに、リモコンとして操作するときには、制御情報に関する情報を表示する表示部１６が接続されている。すなわち、表示部１６は、カメラ部１４による撮影時の撮影画像の表示と、キー入力部１２より入力された制御情報に関する情報（メニュー画面等）の表示とを兼用するようになっている。
【００２８】
上記構成において、個人認証部１５には、家族全員の身体的特徴（本実施形態１では、顔の特徴）を示す情報が図示しない内部メモリに予め保存されている。この保存方法としては、例えばキー入力部１２のメニューボタン１２２を操作して認識情報の登録モードを選択する。認識情報登録モードとは、個人認証部１５により認識された被写体の特徴情報を予めメモリ部に保存する処理を実施するモードのことである。
【００２９】
認識情報登録モードについて具体的に説明すると、例えば父の認識データを作成する場合、本人がリモコン装置１Ａを持ってカメラ部１４を自分の方向に向け、カメラボタン１２５を操作して撮影する。個人認証部１５は、この撮影した顔画像を基に父認識データを作成する。画像認識技術は従来周知の技術であるので、ここでは詳細な説明を省略する。この父認識データ（特徴データ）は、内部メモリに保存される。個人認証部１５では、以後、この内部メモリに保存されている認証データに基づいて特定の個人を認証する。
【００３０】
次に、上記構成のリモコン装置１Ａを用いて家族の誰かがリモコンを操作するときの処理について説明する。
【００３１】
リモコン装置１Ａを操作するに際し、操作者は、リモコン装置１Ａを持った状態でカメラ部１４を自分の顔の方向に向けて、カメラボタン１２５を操作し、撮影モードに設定する。制御部１１は、このカメラボタン１２５の操作により、カメラ部１４による撮影動作を開始するとともに、そのときの撮影画像を表示部１６に表示する。
【００３２】
これにより、操作者は、表示部１６に表示されている自分の顔画像を見ながら、最も良いアングルで顔画像を撮影することができる。
【００３３】
個人認証部１５は、カメラ部１４により撮影された操作者の顔画像の特徴量と、予め内部メモリに登録されている家族全員の顔画像の特徴量とを比較することによって操作者を認証（特定）する。この際、認証結果を表示部１６に表示して、操作者にその認証結果に間違いが無いかを確認するようにしてもよい。具体的には、「操作者は「お父さん」でよろしいでしょうか？」といったメッセージを表示部１６に表示して、操作者に確認させる。ここで、操作者が、例えばそのメッセージ画面に表示された図示しない「確認」ボタンを操作すると、制御部１１は、その認証結果（操作者を特定する個人情報）を内部メモリに保存する。
【００３４】
この後、操作者によって通常のリモコン操作が行われると、制御部１１は、内部メモリに保存している操作者の個人情報を、リモコン操作によりキー入力部１２から入力された制御情報とともに、送信部１３より被制御機器に送信する。
【００３５】
この個人情報は、操作者認証後の最初のリモコン操作による制御情報の送信時にのみ送信するものとし、その後の制御情報の送信時には送信しない。つまり、別の操作者がカメラボタン１２５を操作して操作者自身の顔を撮影し、新たな個人認証が行われるまでは送信しない。これにより、被制御機器側では、最初に個人情報を受け取ると、その後新たな個人情報を受け取るまでは、その間に送信されてくる制御情報は全て最初に受け取った個人情報に基づく操作者が操作しているものと判断することができる。
【００３６】
図３は、被制御機器２Ａの主要部の構成を示す機能ブロック図である。
【００３７】
被制御機器２Ａは、機器全体を制御する制御部２１と、リモコン装置１Ａからの制御情報と個人情報とを受信する受信部２２と、個人情報に対応した制御内容を格納しておくためのメモリ部２４とを備えている。
【００３８】
制御部２１は、受信した制御情報に基づいた制御を実行する。例えば、この被制御機器２Ａが空調機である場合には、温度調整や風量等を制御する。また、この被制御機器２Ａがテレビジョン受像機である場合には、チャンネルの切り替えや音量の調整等を制御する。この場合、制御部２１は、メモリ部２４に個人情報に対応した制御内容が格納されていない場合には、受信した制御情報に基づいた制御（すなわち、従来通りのリモコン操作による制御）のみを行う。一方、メモリ部２４に個人情報に対応した制御内容が格納されている場合には、受信した個人情報をキーとしてメモリ部２４内の制御内容を検索し、同じ個人情報に対応した制御内容がある場合には、その個人情報に対応した制御内容を読み出して実行する。
【００３９】
例えば、被制御機器が空調機であって、受信した個人情報から、その操作者が例えば「お父さん」であることを認識したとし、メモリ部２４内の制御内容を検索した結果、お父さんに対応した制御内容が格納されている場合には、その格納されている制御内容に従って温度制御を行う。具体的には、格納されている制御内容が、例えばお父さんの好みである冷房温度「２３度」、風量「弱」である場合には、その設定温度及び風量にて自動的に空調運転（冷房または暖房運転）を開始する。これにより、操作者であるお父さんは、リモコン装置１Ａのカメラ部１４によって自分を撮影した後（すなわち、個人認証を終えた後）は、電源ボタン１２１を操作するだけで、空調機は、お父さんの好みに合わせた温度及び風量にて空調運転を自動的に開始することになる。すなわち、お父さんは、リモコン装置１Ａによる温度や風量の調整操作が不要となる。
【００４０】
＜実施形態２＞
【００４１】
上記実施形態１のリモコン装置１Ａは、あくまで操作者自身が操作することを前提としているが、本実施形態２では、リモコン装置を被制御機器と一体化することによって、操作者から見た場合には、実質的なリモコンレスの状態で、被制御機器のリモートコントロール機能を実現するものである。
【００４２】
図４は、本実施形態２のリモコン装置１Ｂの全体構成を示す機能ブロック図である。
【００４３】
本実施形態２のリモコン装置１Ｂは、リモコン装置全体を制御する制御部３１に、被制御機器の制御情報を入力するキー入力部３２と、入力された制御情報を被制御機器に出力するための出力端子部３３と、被制御機器から電力の供給を受けるための電源端子部３６とが接続されている。制御部３１は、図示は省略しているが、ＣＰＵ、ＲＯＭ、ＲＡＭ等により構成されている。
【００４４】
また、制御部３１には、カメラ部３４が接続されており、このカメラ部３４の出力は、撮影画像から顔画像を検出し、この検出された顔画像に基づいて個人を認証する個人認証部３５に接続され、この個人認証部３５での認証結果が制御部３１に入力されるようになっている。
【００４５】
すなわち、本実施形態２のリモコン装置１Ｂは、上記実施形態１のリモコン装置１Ａでは備えていた送信部１３と表示部１６とを削除し、その代わりに制御情報の出力端子部３３と電源端子部３６とを備えた構成としたものである。
【００４６】
一方、図５は、被制御機器２Ｂの主要部の構成を示す機能ブロック図である。
【００４７】
被制御機器２Ｂは、機器全体を制御する制御部４１と、リモコン装置１Ｂの出力端子部３３を直接接続するための入力端子部４２と、リモコン装置１Ｂの電源端子部３６を直接接続してリモコン装置１Ｂに電源４５を供給するための電源端子部４６と、個人情報に対応した制御内容を格納しておくためのメモリ部４４とを備えている。
【００４８】
すなわち、本実施形態２のリモコン装置１Ｂは、被制御機器２Ｂの入力端子部４２にリモコン装置１Ｂの出力端子部３３を直接接続し、被制御機器２Ｂの電源端子部４６にリモコン装置１Ｂの電源端子部３６を直接接続することによって、リモコン装置１Ｂを被制御機器２Ｂに装着して一体化することが可能な構造となっている。そして、リモコン装置１Ｂを被制御機器２Ｂに装着後は、被制御機器２Ｂからリモコン装置１Ｂに電源を常時供給可能となるので、リモコン装置１Ｂを常時動作状態とすることが可能となる。すなわち、リモコン装置１Ｂを被制御機器２Ｂに装着後は、カメラ部３４と個人認証部３５とを常に動作させることによって、被制御機器２Ｂの前に操作対象者がいるのかいないのか、すなわち操作対象者の存否を常に確認することが可能となる。
【００４９】
次に、上記構成のリモコン装置１Ｂ及び被制御機器２Ｂにおいて、リモコン装置１Ｂの前に家族の誰かがきた場合のリモコン装置１Ｂ及び被制御機器２Ｂの処理動作について説明する。
【００５０】
リモコン装置１Ｂが被制御機器２Ｂに装着されている状態において、個人認証部３５は、例えば１〜２秒ごとに、カメラ部３４による撮影画像から顔画像が検出できたか否かを判断する。その結果、顔画像が検出できなかった場合には、何もせずに処理を終了する。一方、顔画像が検出できた場合には、その顔画像と内部メモリに保存した特定の人物の顔画像との特徴量を比較することによって、被制御機器２Ｂの前にいる操作対象者を認証（特定）し、その認証結果（操作対象者を特定する個人情報）を内部メモリに保存する。この後、制御部３１は、内部メモリに保存している操作者の個人情報を、直接接続されている出力端子部３３及び入力端子部４２を介して被制御機器２Ｂの制御部４１に入力する。
【００５１】
制御部４１は、受け取った個人情報をキーとしてメモリ部２４内の制御内容を検索し、同じ個人情報に対応した制御内容がある場合には、その個人情報に対応した制御内容を読み出して実行する。
【００５２】
例えば、被制御機器がテレビジョン受像機であって、受信した個人情報から、その操作対象者が例えば「お父さん」であることを認識したとし、メモリ部２４内の制御内容を検索した結果、お父さんに対応した制御内容が格納されている場合には、その格納されている制御内容に従って制御を行う。具体的には、格納されている制御内容が、お父さんの好みの番組の放送日時と放送チャンネルであり、個人情報を受け取った時刻がその番組の放送日時の条件に合致している場合には、自動的にそのチャンネルに切り替えてテレビ番組を受信する。
【００５３】
このように、本実施形態２では、操作対象者が被制御機器２Ｂに装着されているリモコン装置１Ｂの前（前方位置）にくるだけで、カメラ部３４が操作対象者を撮影し、個人認識部３５が個人を認識してその個人情報を被制御機器２Ｂの制御部４１に入力し、被制御機器２Ｂでその個人に対応した制御動作を行うので、操作対象者は、従来のようなリモコン装置の操作を何ら行わなくても、操作対象者の所望する制御動作を被制御機器に実行させることが可能となる。
【００５４】
すなわち、本実施形態２によれば、リモコン装置１Bを被制御機器２Ｂに合体させることによって、顔認証機能付きの被制御機器となり、顔認識結果を利用して、操作者個別の様々なサービスを提供することが可能となる。
【００５５】
なお、上記実施形態２では、実施形態１の送信部１３と表示部１６とを削除した構成としているが、出力端子部３３や電源端子部３６と共に、送信部１３や表示部１６を備えた構成のリモコン装置としてもよい。この場合には、リモコン装置を被制御機器から取り外したときには、実施形態１に示すリモコン装置１Ａとして使用することが可能となり、リモコン装置１Ａとしての機能と、リモコン装置１Ｂとしての機能とを使い分けることが可能となる。
【００５６】
＜実施形態３＞
【００５７】
上記実施形態２では、リモコン装置１Ｂを被制御機器２Ｂに直接装着することによって、被制御機器２Ｂから電源の供給を受ける構成としているが、本実施形態３では、リモコン装置を充電する充電装置を別途用意し、この充電装置にリモコン装置を載置することで、充電装置から電源の供給を受けるようにしたものである。
【００５８】
図６は、本実施形態３のリモコン装置１Ｃの全体構成を示す機能ブロック図である。
【００５９】
本実施形態３のリモコン装置１Ｃは、リモコン装置全体を制御する制御部５１に、被制御機器の制御情報を入力するキー入力部５２と、入力された制御情報を被制御機器に送信する送信部５３と、充電装置に載置して電力の供給を受けるための電源端子部５７とが接続されている。制御部５１は、図示は省略しているが、ＣＰＵ、ＲＯＭ、ＲＡＭ等により構成されている。
【００６０】
また、制御部５１には、カメラ部５４が接続されており、このカメラ部５４の出力は、撮影画像から顔画像を検出し、この検出された顔画像に基づいて個人を認証する個人認証部５５に接続され、この個人認証部５５での認証結果が制御部５１に入力されるようになっている。
【００６１】
本実施形態３では、充電装置に載置された状態のリモコン装置１Ｃを任意の場所に設置することができるため、被制御機器に直接装着する場合に比べて設置場所を自由に決定することが可能となる。
【００６２】
そして、この場合には、上記実施形態２のリモコン装置１Ｂと同様にして、個人認証部５５が、例えば１〜２秒ごとに、カメラ部５４による撮影画像から顔画像が検出できたか否かを判断し、顔画像が検出できた場合には、その顔画像と内部メモリに保存した特定の人物の顔画像との特徴量を比較することによって、被制御機器の前にいる操作対象者を認証（特定）し、その認証結果（操作対象者を特定する個人情報）を、送信部５３より被制御機器に送信する。なお、被制御機器の構成は、図３に示した実施形態１の被制御機器２Ａの構成と同じである。
【００６３】
なお、上記実施形態１〜３では、リモコン装置が被制御機器に対して１対１の対応関係となっているが、リモコン装置により認証した個人情報を不特定の被制御機器にマルチスキャンするように構成することも可能である。すなわち、今日の一般家庭では、リモコン装置を使用して制御する被制御機器として、テレビジョン受像機、ＡＶ機器、空調機等、複数の被制御器機器が存在する。そのような環境の中にあって、１台のリモコン装置を複数台の被制御機器に対応させたマルチリモコン装置も登場している。リモコン装置により認証した個人情報を不特定の被制御機器にマルチスキャンするように構成することで、多用なサービスを操作者に提供することが可能となる。本発明のリモコン装置は、そのようなマルチリモコン装置にも適用可能な技術である。
【図面の簡単な説明】
【００６４】
【図１】本発明の実施形態１に係る制御装置であるリモコン装置の外観図である。
【図２】本発明の実施形態１に係るリモコン装置の全体構成を示す機能ブロック図である。
【図３】本発明の実施形態１に係る被制御機器の主要部の構成を示す機能ブロック図である。再生状況データを再生状況記憶部に記憶する場合の実施例２の処理動作を示すフローチャートである。
【図４】本発明の実施形態２に係るリモコン装置の全体構成を示す機能ブロック図である。
【図５】本発明の実施形態２に係る被制御機器の主要部の構成を示す機能ブロック図である。
【図６】本発明の実施形態３に係るリモコン装置の全体構成を示す機能ブロック図である。
【符号の説明】
【００６５】
１Ａ，１Ｂ，１Ｃ  リモコン装置（制御装置）
２Ａ，２Ｂ  被制御機器（電子機器）
１１，３１，５１  制御部
１２，３２，５２  キー入力部
１３，５３  送信部
１４，３４，５４  カメラ部
１５，３５，５５  個人認証部（顔画像検出手段，個人認証手段）
１６，５６  表示部
２１，４１  制御部
２２  受信部
２４，４４  メモリ部
３３  出力端子部
３６  電源端子部
４２  入力端子部
４５  電源
４６  電源端子部
【図１】
2006352355.tif 000003
【図２】
2006352355.tif 000004
【図３】
2006352355.tif 000005
【図４】
2006352355.tif 000006
【図５】
2006352355.tif 000007
【図６】
2006352355.tif 000008